(57)【要約】【課題】  固形化粧料の割れや欠け、容器からの離脱を防止する。【解決手段】  容器本体２内に、装着部１ａ、弾性部１ｃ及び保持部１ｂを備える固形化粧料保持体１が装着されて成り、装着部１ａが、筒状を成して容器本体２に装着され、弾性部１ｃが、筒状を成して装着部１ａの下側に繋がれると共に周壁を開口するスリット１ｆを有して上下方向に伸縮可能な樹脂バネとされ、保持部１ｂが、装着部１ａより内側に配置されて上下方向に延在し周方向に離間して配置される複数本の足１ｊを備え、足１ｊの上部１ｋ，１ｍが、ドーム状の凸部Ｇ２を有する固形化粧料Ｇをその凸部Ｇ２が上方に突出するようにして保持すると共に、足１ｊの下部が、樹脂バネ１ｃの下部に連結される構成とし、例えば落下等による衝撃や振動等の外力作用時に、容器本体２から固形化粧料Ｇに伝わる外力を、容器本体２と固形化粧料Ｇとの間の固形化粧料保持体１の樹脂バネ１ｃにより緩衝する。【選択図】  図３
2006247277.tif 000002
【特許請求の範囲】
【請求項１】
ドーム状の凸部を有する固形化粧料を保持した固形化粧料保持体が、前記凸部を上方に突出するようにして容器本体の内部に装着されて成る固形化粧料容器であって、
前記固形化粧料保持体は、筒状を成して前記容器本体に装着される装着部と、
前記装着部より内側に配置されて前記固形化粧料を保持する保持部と、
筒状を成して前記装着部の下側に配置され当該装着部と前記保持部とを繋ぐ弾性部と、を具備し、
前記弾性部は、周壁を開口するスリットを有し上下方向に伸縮可能な樹脂バネであり、
前記保持部は、上下方向に延在し周方向に離間して配置される複数本の足を有し、
前記足は、その上部が前記固形化粧料を保持すると共にその下部が前記樹脂バネの下部に連結されることを特徴とする固形化粧料容器。
【請求項２】
前記固形化粧料保持体は、樹脂による一体成型品であることを特徴とする請求項１記載の固形化粧料容器。
【請求項３】
前記固形化粧料は、ゲル状であることを特徴とする請求項１又は２記載の固形化粧料容器。
【発明の詳細な説明】
【技術分野】
【０００１】
本発明は、ドーム状の凸部を有する固形化粧料を保持して成る固形化粧料容器に関する。
【背景技術】
【０００２】
従来、ドーム状の凸部を有する固形化粧料を保持した固形化粧料保持体が、凸部を上方に突出するようにして容器本体の内部に装着されて成る固形化粧料容器が知られている（例えば、特許文献１参照）。
【特許文献１】特開２００４−３２１４１０号公報
【発明の開示】
【発明が解決しようとする課題】
【０００３】
ここで、上記固形化粧料容器にあっては、例えば落下等による衝撃や振動等の外力が作用すると、固形化粧料に割れや欠けが生じる虞や、固形化粧料が容器から離脱する虞がある。
【０００４】
本発明は、このような課題を解決するために成されたものであり、例えば落下等による衝撃や振動等の外力作用時に、固形化粧料の割れや欠け、固形化粧料の容器からの離脱が防止される固形化粧料容器を提供することを目的とする。
【課題を解決するための手段】
【０００５】
本発明による固形化粧料容器は、ドーム状の凸部を有する固形化粧料を保持した固形化粧料保持体が、凸部を上方に突出するようにして容器本体の内部に装着されて成る固形化粧料容器であって、固形化粧料保持体は、筒状を成して容器本体に装着される装着部と、装着部より内側に配置されて固形化粧料を保持する保持部と、筒状を成して装着部の下側に配置され当該装着部と保持部とを繋ぐ弾性部と、を具備し、弾性部は、周壁を開口するスリットを有し上下方向に伸縮可能な樹脂バネであり、保持部は、上下方向に延在し周方向に離間して配置される複数本の足を有し、足は、その上部が固形化粧料を保持すると共にその下部が樹脂バネの下部に連結されることを特徴としている。
【０００６】
このような固形化粧料容器によれば、容器本体の内部に、装着部、弾性部及び保持部を備える固形化粧料保持体が装着され、装着部が、筒状を成して容器本体に装着され、弾性部が、筒状を成して装着部の下側に繋がれると共に周壁を開口するスリットを有して上下方向に伸縮可能な樹脂バネとされ、保持部が、装着部より内側に配置されて上下方向に延在し周方向に離間して配置される複数本の足を備え、これらの足の上部が、ドーム状の凸部を有する固形化粧料をその凸部が上方に突出するようにして保持すると共に、これらの足の下部が、樹脂バネの下部に連結される構成であるため、例えば落下等による衝撃や振動等の外力が作用すると、容器本体から固形化粧料に伝わる外力が、容器本体と固形化粧料との間の固形化粧料保持体の樹脂バネにより緩衝され、固形化粧料の割れや欠け、固形化粧料の容器からの離脱が防止される。
【０００７】
ここで、固形化粧料保持体は、樹脂による一体成型品であると、成形、組立等の製造コストの低減が図られる。
【０００８】
また、固形化粧料は、ゲル状であると、粉体を含みさらにオイル、ワックスを含む固形化粧料に比して割れ易く欠け易いため、特に効果的である。
【発明の効果】
【０００９】
このように本発明によれば、例えば落下等による衝撃や振動等の外力作用時に容器本体から固形化粧料に伝わる外力が樹脂バネにより緩衝されるため、固形化粧料の割れや欠け、固形化粧料の容器からの離脱を防止することが可能となる。
【発明を実施するための最良の形態】
【００１０】
以下、本発明による固形化粧料容器の好適な実施形態について図１〜図８を参照しながら説明する。なお、各図において、同一の要素には同一の符号を付し、重複する説明は省略する。図１は、固形化粧料容器を示す斜視図、図２は、固形化粧料容器のキャップを外した状態を示す斜視図、図３は、図２の縦断面図、図４は、図２の平面図、図５及び図６は、固形化粧料及び固形化粧料保持体を示す各斜視図、図７及び図８は、固形化粧料保持体の各斜視図であり、当該固形化粧料容器は、例えば頬紅等の固形化粧料を備え塗布に供するものである。
【００１１】
図１に示す固形化粧料容器１００は、図２〜図６に示すように、固形化粧料Ｇと、この固形化粧料Ｇを保持した固形化粧料保持体１と、図２〜図４に示すように、この固形化粧料保持体１を内部に装着した容器本体２と、固形化粧料Ｇ及び固形化粧料保持体１を覆うようにして容器本体２の上部を覆うキャップ３（図１参照）と、を具備している。これらの容器本体２、固形化粧料保持体１及びキャップ３は、樹脂より成る成型品とされている。
【００１２】
固形化粧料Ｇはゲル状（ゼリー状）であり、例えば寒天やカラギーナン等のゲル化剤と水溶性の染料とを配合したもので、離水性を有している。なお、このゲル状の固形化粧料には、必要に応じて、保湿剤、粉体、界面活性剤、油性成分を配合することができ、これらの他に、通常、化粧料に配合し得る添加成分、例えば、防腐剤、香料、ｐＨ調整剤、美白成分等の薬剤成分を適宜配合しても良い。
【００１３】
そして、この固形化粧料Ｇは、図２〜図６に示すように、略円柱状の基部Ｇ１と、この基部Ｇ１より上方に膨出するドーム状（略半球体状、略球帽体状等を含む）の凸部Ｇ２と、を有する構成とされている。
【００１４】
図３、図７及び図８に示すように、固形化粧料保持体１は、容器本体２に装着される装着部１ａと、装着部１ａより内側に配置されて固形化粧料Ｇを保持する保持部１ｂと、装着部１ａの下側に配置され当該装着部１ａと保持部１ｂとを繋ぐ弾性部１ｃと、を具備した樹脂による一体成型品とされている。
【００１５】
図５〜図８に示すように、装着部１ａは、略円筒形状を成し、その外周面に、周方向に沿って連続すると共に上下方向に所定長延在する凹凸部１ｄを有している。この凹凸部１ｄは、周方向に沿って所定間隔で離間して設けられた多数の凸部１ｑにより構成され、固形化粧料Ｇからの離水の落とし込み部４を構成するためのものである。また、装着部１ａの外周面には、上記凹凸部１ｄの下側に、容器本体２に装着するための突条１ｅが周方向に沿って複数個設けられている。
【００１６】
弾性部１ｃは、装着部１ａの下部と同径の略円筒形状に構成され、周壁を開口するスリット１ｆを有する樹脂バネとされている。図７及び図８に示すように、スリット１ｆは、横方向に延在する横開口１ｇを上下に配置すると共に横方向にズラして配置し、これらの横開口１ｇ，１ｇの上下に隣接する端部同士を縦方向に延在する縦開口１ｈで繋いだもので、周方向に沿って二個が設けられ、一方のスリット１ｆの上側の横開口１ｇの下方に他方のスリット１ｆの下側の横開口１ｇが重なるように位置すると共に、一方のスリット１ｆの下側の横開口１ｇの上側に他方のスリット１ｆの上側の横開口１ｇが重なるように位置するように配置され、図８に示すように、樹脂バネ１ｃは、周方向に１８０°離間する位置の部分（一方のスリット１ｆの上側の横開口１ｇと他方のスリット１ｆの縦開口１ｈとの間の部分、及び、他方のスリット１ｆの上側の横開口１ｇと一方のスリット１ｆの縦開口１ｈとの間の部分）１ｉ，１ｉで装着部１ａの下部に支持される二点支持とされている。このように構成される樹脂バネ１ｃは、スリット１ｆ，１ｆにより上下方向に伸縮可能とされている。
【００１７】
保持部１ｂは、図６及び図８に示すように、上下方向に延在し周方向に離間して等配される複数本（本実施形態では四本）の足１ｊを備えている。この足１ｊは、剛性を有し、その下部が外側に折曲されて樹脂バネ１ｃの下部、詳しくは樹脂バネ１ｃのスリット１ｆより下側部分に繋がれている。
【００１８】
また、足１ｊの上部には、図３、図４、図６及び図７に示すように、円環状保持体１ｋ及び放射状保持体１ｍが設けられている。円環状保持体１ｋは、複数個（本実施形態では三個）が同心円状に配設されている。これらの隣接する円環状保持体１ｋ，１ｋ同士は、図３、図６及び図７に示すように、内側の円環状保持体が上部側に高くされ、具体的には、図６及び図７に示すように、最内側の円環状保持体１ｋの上面１ｋ１に比して中側の円環状保持体１ｋの上面１ｋ２が低く、この中側の円環状保持体１ｋの上面１ｋ２に比して最外側の円環状保持体１ｋの上面１ｋ３が低く、且つ、これらの上面１ｋ１，１ｋ２，１ｋ３が、略同角度で外側に向かうに従い下方に傾斜し上面同士が離間して連なる傾斜面に構成されている。そして、図４及び図７に示すように、上面１ｋ１を備える最内側の円環状保持体１ｋに囲まれる開口１ｎが、後述の溶解状態のゲル状の固形化粧料が流し込まれる充填口として設定されている。
【００１９】
放射状保持体１ｍは、上面１ｋ１を備える最内側の円環状保持体１ｋの下部に連結されて当該最内側の円環状保持体１ｋから複数個（本実施形態では四個）が放射状に延びると共に、他の円環状保持体１ｋの下部を各々連結して成り、その外側端部が足１ｊの上下延在部分の上端部に連結される構成とされている。
【００２０】
そして、足１ｊの上部を構成する当該円環状、放射状保持体１ｋ，１ｍが、図３に示すように、固形化粧料Ｇの基部Ｇ１に覆われた状態とされて当該固形化粧料Ｇを保持する構成とされている。
【００２１】
ここで、ドーム状の凸部Ｇ２を有し固形化粧料保持体１に保持される固形化粧料Ｇを得るにあたっては、固形化粧料保持体１を図８に示すように逆さにして、ドーム状の凸部Ｇ２に対応する（合致する）形状の型（紅型）に上から嵌め込み、この型の上方に配設された充填ノズルからゲル状の固形化粧料を熱溶解した状態で、固形化粧料保持体１の充填口（開口）１ｎを通して型と固形化粧料保持体１との間に画成される成形空間に流し込むと共に固形化粧料保持体１の円環状、放射状保持体１ｋ，１ｍが覆われる迄流し込み、溶解状態の化粧料を固化させ型を離型することで、ドーム状の凸部Ｇ２を有するゲル状の固形化粧料Ｇを成形すると共に当該固形化粧料Ｇを円環状、放射状保持体１ｋ，１ｍに保持して成る図５及び図６に示す固形化粧料保持体１が得られる。そして、固形化粧料保持体１に保持された固形化粧料Ｇは、固形化粧料保持体１の装着部１ａの内周面に対して上下動可能とされている。
【００２２】
このような固形化粧料保持体１を装着する容器本体２は、図３に示すように、有底円筒形状を成すと共にその上部が二股に分岐されて上方に突出する構成とされている。この容器本体２には、その内側の上部２ｃの内周面に、固形化粧料保持体１の突条１ｅを軸線方向に係合するための環状溝２ａが設けられていると共に、その外側の上部２ｄの外周面に、キャップ３を着脱可能に装着するための雄螺子２ｂが設けられている。そして、上記固形化粧料保持体１は、その下部側から容器本体２に内挿され、固形化粧料保持体１の突条１ｅが容器本体２の環状溝２ａに係合することで、軸線方向移動不能に連結され、ドーム状の凸部Ｇ２が上方に突出する構成とされている。
【００２３】
また、固形化粧料保持体１と容器本体２との間には、図２〜図４に示すように、パッキン５が設けられている。パッキン５は円環状体であり、図３に示すように、その下部が内側に折曲される折曲下部５ａとされると共にその上部が外側に折曲される折曲上部５ｂとされている。このパッキン５は、その外周面が容器本体２の外側の上部２ｄの内周面に嵌着されると共に、その内周面が固形化粧料保持体１の凹凸部１ｄに外周側から面する構成とされ、その折曲下部５ａが、固形化粧料保持体１の凹凸部１ｄの凸部１ｑの下端面と容器本体２の内側の上部２ｃの上端面との間に挟み込まれると共に、その折曲上部５ｂが容器本体２の外側の上部２ｄの上端面に載置される構成とされている。
【００２４】
このパッキン５の折曲下部５ａの内周面と固形化粧料保持体１の装着部１ａの外周面との間には所定の回転摩擦抵抗が生じているため、固形化粧料保持体１は、パッキン５を介して容器本体２に回転不能に連結されている。すなわち、固形化粧料保持体１は、容器本体２に対して回転不能且つ軸線方向に離脱不能に装着されている。
【００２５】
そして、図２及び図４に示すように、パッキン５の内周面に対して、固形化粧料保持体１の凹凸部１ｄの凸部１ｑが当接し、固形化粧料保持体１の凹凸部１ｄの凹面とパッキン５の内周面との間に、周方向に沿って上下方向に延在する多数の孔が形成されている。これらの孔が固形化粧料Ｇからの離水が流れ込む落とし込み部４を構成する。この落とし込み部４は、流れ込んだ離水を毛細管作用により保持し得る孔径に形成されている。
【００２６】
なお、図３に示すように、パッキン５の折曲下部５ａの内周面に、周方向に沿って連続すると共に上下方向に延在する凹凸部を多数設けて、固形化粧料保持体１の凹凸部１ｄの凹部とパッキン５の折曲下部５ａの内周面の凹部とにより落とし込み部４を上下に貫通する貫通孔としても良く、また、パッキン５の折曲下部５ａの内周面には凹部を設けずに落とし込み部４を下方に凹設された凹部としても良い。
【００２７】
また、キャップ３は、図１に示すように、固形化粧料Ｇに対向し当該固形化粧料Ｇを上方から覆うドーム状の覆部３ａと、この覆部３ａの周縁に連設されて下方に延在する円環状の周壁部３ｂと、を備えている。そして、キャップ３は、その周壁部３ｂが容器本体２の上部に外挿され、周壁部３ｂの内周面に設けられた雌螺子（不図示）が容器本体２の雄螺子２ｂに螺合することで、容器本体２に着脱可能に装着されている。このキャップ３の装着状態にあっては、キャップ３における周壁部３ｂより内側で下側に向かって突出する円環状の凸部（不図示）が、パッキン５の上端面に当接することで、気密化が図られている。
【００２８】
このように構成された固形化粧料容器１００を使用に供する場合には、キャップ３を容器本体２から取り外し、容器本体２の外周面を持って、ゲル状の固形化粧料Ｇのドーム状を成す凸部Ｇ２を皮膚に当てて塗布すれば良い。この塗布の際にあっては、ゲル状の固形化粧料Ｇはプルプルしているため、使用感が良い。また、特に夏期等にあっては、ひんやり感が与えられるため、一層使用感が良い。
【００２９】
そして、特に本実施形態の固形化粧料容器１００によれば、図３に示すように、容器本体２の内部に、装着部１ａ、弾性部１ｃ及び保持部１ｂを備える固形化粧料保持体１が装着され、装着部１ａが、筒状を成して容器本体２に装着され、弾性部１ｃが、筒状を成して装着部１ａの下側に繋がれると共に周壁を開口するスリット１ｆを有して上下方向に伸縮可能な樹脂バネとされ、保持部１ｂが、装着部１ａより内側に配置されて上下方向に延在し周方向に離間して配置される複数本の足１ｊを備え、これらの足１ｊの上部が、ドーム状の凸部Ｇ２を有する固形化粧料Ｇをその凸部Ｇ２が上方に突出するようにして保持すると共に、これらの足１ｊの下部が、樹脂バネ１ｃの下部に連結される構成であるため、例えば落下等による衝撃や振動等の外力が作用した場合、容器本体２から固形化粧料Ｇに伝わる外力が、容器本体２と固形化粧料Ｇとの間の固形化粧料保持体１の樹脂バネ１ｃにより緩衝される。従って、固形化粧料Ｇの割れや欠け、固形化粧料Ｇの容器からの離脱が防止されている。
【００３０】
また、本実施形態においては、固形化粧料保持体１が、樹脂による一体成型品とされているため、成形、組立等の製造コストの低減が図られている。
【００３１】
さらにまた、本実施形態においては、粉体を含みさらにオイル、ワックスを含む固形化粧料に比して割れ易く欠け易いゲル状の固形化粧料Ｇを対象としているため、上記固形化粧料の割れ・欠け防止の構成の採用が特に効果的である。
【００３２】
なお、固形化粧料保持体１を構成する樹脂バネ１ｃの下端面は、ゲル状の固形化粧料Ｇを塗布する際に当該固形化粧料Ｇが後退しないように、容器本体３の底部に予め当接していても良く、また、例えば樹脂バネ１ｃのバネ性が強く塗布の際に樹脂バネ１ｃが伸びる前にゲル状の固形化粧料Ｇがへこむ等、塗布に支障が無ければ、樹脂バネ１ｃの下端面と容器本体３の底部とは離間していても良い。
【００３３】
また、特に本実施形態の固形化粧料容器１００によれば、以下の作用・効果を奏する。すなわち、ゲル状の固形化粧料Ｇは離水性を有するため、当該固形化粧料Ｇからは離水が流出する。この固形化粧料Ｇは上方に膨出する凸部Ｇ２を有しているため、当該凸部Ｇ２の凸面を伝って離水が下に流れて来て、固形化粧料Ｇの基部Ｇ１を包囲収容し保持する固形化粧料保持体１のその上面に達する。
【００３４】
ここで、本実施形態の落とし込み部４が無いと、固形化粧料Ｇから固形化粧料保持体１の上面に達した離水は、キャップ３を外すと、容器本体２の外側の上部２ｄの外周面に設けられた雄螺子２ｂまで達し、当該雄螺子２ｂを始めとしたパッキン５や固形化粧料保持体１等、容器の外面に付着し固化してしまう。
【００３５】
しかしながら、本実施形態においては、固形化粧料Ｇから流出し固形化粧料保持体１の上面を伝う離水は、周方向に沿って設けられた落とし込み部４に流れ込み当該落とし込み部４の毛細管作用により保持される。このため、吸水体のような別部材を設けること無く、固形化粧料Ｇからの離水が容器の外面に付着することが防止されて見映えが向上されると共に手等を汚すことが防止されている。その結果、低コスト化を図りつつ、外観上や使用上の商品価値が高められている。なお、この落とし込み部４による毛細管作用によれば、固形化粧料容器１００を逆さにしても、落とし込み部４に保持された離水は落下することは無い。
【００３６】
なお、固形化粧料Ｇの塗布時に当該固形化粧料Ｇの略中央上部から円環状保持体に作用する力を、各円環状保持体に略均等に分散させるべく、内側に行くに従い高さが高くなる円環状保持体１ｋに代えて、図９に示すように、最外側の上面１１ｋ３、中側の上面１１ｋ２、最内側の上面１１ｋ１が略同じ高さの円環状保持体１１ｋを採用しても良く、また、図１０に示すように、最外側の上面２１ｋ３に比して中側の上面２１ｋ２が低く、中側の上面２１ｋ２に比して最内側の上面２１ｋ１が低い円環状保持体２１ｋを採用しても良い。
【００３７】
以上、本発明をその実施形態に基づき具体的に説明したが、本発明は上記実施形態に限定されるものではなく、例えば、上記実施形態においては、特に固形化粧料の割れや欠けの防止効果が顕著に得られるとして、固形化粧料を割れ易く欠け易いゲル状としているが、ゲル状ではなく例えば粉体を含みさらにオイル、ワックスを含む固形化粧料である例えばリップ、チーク等に対しても適用可能であり、このような固形化粧料にあっても、割れや欠け、容器からの離脱が防止される。
【図面の簡単な説明】
【００３８】
【図１】本発明の実施形態に係る固形化粧料容器を示す斜視図である。
【図２】図１の固形化粧料容器のキャップを外した状態を示す斜視図である。
【図３】図２に示す固形化粧料容器の縦断面図である。
【図４】図２に示す固形化粧料容器の平面図である。
【図５】図２〜図４中の固形化粧料及び固形化粧料保持体を示す斜視図である。
【図６】図５に示す固形化粧料及び固形化粧料保持体の一部破断斜視図である。
【図７】図５中の固形化粧料保持体を上方から示す斜視図である。
【図８】図７の固形化粧料保持体を逆さにして上方から示す斜視図である。
【図９】円環状保持体の他の例を示す固形化粧料容器の縦断面図である。
【図１０】円環状保持体のさらに他の例を示す固形化粧料容器の縦断面図である。
【符号の説明】
【００３９】
１…固形化粧料保持体、１ａ…装着部、１ｂ…保持部、１ｃ…樹脂バネ（弾性部）、１ｆ…スリット、１ｊ…足、１ｋ，１１ｋ，２１ｋ…円環状保持体（足の上部）、１ｍ…放射状保持体（足の上部）、２…容器本体、１００…固形化粧料容器、Ｇ…固形化粧料、Ｇ１…基部、Ｇ２…凸部。
【図１】
2006247277.tif 000003
【図２】
2006247277.tif 000004
【図３】
2006247277.tif 000005
【図４】
2006247277.tif 000006
【図５】
2006247277.tif 000007
【図６】
2006247277.tif 000008
【図７】
2006247277.tif 000009
【図８】
2006247277.tif 000010
【図９】
2006247277.tif 000011
【図１０】
2006247277.tif 000012